(57)【要約】      （修正有）【課題】外観に施された図案を妨げることなく、内部に収納されているティッシュペーパの残量を確認できる収納箱を提供する。【解決手段】内部にティッシュペーパの積層体２が収納された箱本体１０と、光透過性の合成樹脂薄板によって両端が開口された筒状に設けられ、内部に箱本体１０が収納され、箱本体１０の開口を閉塞し、上面にティッシュペーパの引出口２１が形成された閉塞部材２０とを備え、閉塞部材２０は、少なくとも一側面に印刷によって形成された図案化部３０を有し、図案化部３０は、図案を形成する透明部と、不透明部とを組み合わせて形成され、透明部は、高さ方向に複数設けられ、幅方向の位置を異ならせながらも高さ方向の略何れの位置においても存在するように不連続に形成され、箱本体１０内のティッシュペーパの積層体２の残量を視認可能とし、箱本体１０及び閉塞部材２０は、折り畳み可能であり、一の収納袋に収納可能である。【選択図】図１
0003164386.tif 000002
【実用新案登録請求の範囲】
【請求項１】
光透過性の合成樹脂薄板によって上面が開口された箱状に形成され、内部に、連続引き出し可能に折り畳まれたティッシュペーパの積層体が収納された箱本体と、
光透過性の合成樹脂薄板によって両端が開口された筒状に設けられ、内部に、上記箱本体が該一方の開口より挿入されて収納され、上記箱本体の開口を閉塞し、上面に、上記箱本体に収納されたティッシュペーパの引出口が形成された閉塞部材とを備え、
上記閉塞部材は、少なくとも一側面に、印刷によって形成された図案化部を有し、
上記図案化部は、透明部と不透明部とを組み合わせることによって形成され、
上記透明部は、上記一側面の高さ方向に複数設けられ、該一側面の幅方向の位置を異ならせながらも、該高さ方向の略何れの位置においても存在するように不連続に形成され、上記箱本体内のティッシュペーパの積層体の残量を視認可能とし、
上記箱本体及び上記閉塞部材は、それぞれ折り畳み可能であり、折り畳んだ状態で、一の収納袋に収納可能であるティッシュペーパ用収納箱。
【請求項２】
上記箱本体は、少なくとも、上記閉塞部材の両端に形成された開口から露出する一側面に、更に、上記図案化部を有する請求項１記載のティッシュペーパ用収納箱。
【請求項３】
上記図案化部は、該図案化部が設けられた面の高さ方向の略全長に亘って連続する更なる透明部を有する請求項１又は請求項２記載のティッシュペーパ用収納箱。
【請求項４】
上記図案化部は、該図案化部が設けられた面の裏面側に印刷されている請求項１乃至請求項３のうちいずれか１記載のティッシュペーパ用収納箱。
【請求項５】
上記閉塞部材の一方の開口から挿入されるときの挿入端となる上記箱本体の側面には、上記箱本体の開口側に向けてガイド片が設けられ、
上記ガイド片は、上記箱本体に収納されたティッシュペーパの積層体の端部を上部から抑える請求項１乃至請求項４のうちいずれか１記載のティッシュペーパ用収納箱。
【請求項６】
光透過性の合成樹脂薄板によって相対する面が開口された箱状に形成され、内部に、連続引き出し可能に折り畳まれたティッシュペーパの積層体が収納された箱本体と、
上記箱本体と一体に設けられ、上記箱本体の相対する開口を閉塞する閉塞部材とを備え、
上記閉塞部材によって上記箱本体の相対する開口が閉塞されたとき、上面に位置する上記箱本体の一面又は上記閉塞部材には、上記箱本体に収納されたティッシュペーパの引出口が形成され、
上記箱本体は、少なくとも一側面に、印刷によって形成された図案化部を有し、
上記図案化部は、透明部と不透明部とを組み合わせることによって形成され、
上記透明部は、上記一側面の高さ方向に複数設けられ、該一側面の幅方向の位置を異ならせながらも、該高さ方向の略何れの位置においても存在するように不連続に形成され、該箱本体内のティッシュペーパの積層体の残量を視認可能とし、
上記箱本体及び上記閉塞部材は、それぞれ折り畳み可能であり、折り畳んだ状態で、一の収納袋に収納可能であるティッシュペーパ用収納箱。
【請求項７】
上記図案化部は、該図案化部が設けられた面の高さ方向の略全長に亘って連続する更なる透明部を有する請求項６記載のティッシュペーパ用収納箱。
【請求項８】
上記図案化部は、該図案化部が設けられた面の裏面側に印刷されている請求項６又は請求項７記載のティッシュペーパ用収納箱。
【考案の詳細な説明】
【技術分野】
【０００１】
本考案は、外観に施された図案を妨げることなく、内部に収納されているティッシュペーパの残量を確認することができるティッシュペーパ用収納箱に関する。
【背景技術】
【０００２】
ティッシュペーパ用収納箱は、主に、連続引き出し可能に折り畳まれたティッシュペーパの積層体が内部に収納されており、上面に設けられた引出口からティッシュペーパを連続して引き出すことができる。
【０００３】
しかしながら、従来のティッシュペーパ用収納箱では、ボール紙等の厚紙で形成されているので、例えば、引出口から内部を覗いたり、持ったときの重さ等によって、あいまいにしか内部のティッシュペーパの残量を確認することができなかった。
【０００４】
そこで、特許文献１のティッシュペーパ用収納箱では、一側面に略矩形状で透明ビニールが設けられた開口窓を形成することで、外部から一目で内部のティッシュペーパの残量を確認することができるようにしている。
【０００５】
しかしながら、特許文献１のティッシュペーパ用収納箱では、開口窓と外観に施された図案との関連性がなく、開口窓が外観に施された図案を妨げることになり、デザイン設計の制約になるおそれがある。また、特許文献１のティッシュペーパ用収納箱は、詰め替え可能なものではないので、内部に収納されたティッシュペーパの積層体が無くなる度に廃棄されることが多く、資源を有効利用しているとは言えない。更に、特許文献１のティッシュペーパ用収納箱は、予め内部にティッシュペーパの積層体を収納しておく必要があり、折り畳み可能なものではないので、運搬や保管のときに嵩張る等の問題がある。更にまた、特許文献１のティッシュペーパ用収納箱には、ティッシュペーパの無駄な使用の抑制を促す考え方はない。
【先行技術文献】
【特許文献】
【０００６】
【特許文献１】特開２００３−３１０４７９号公報
【考案の概要】
【考案が解決しようとする課題】
【０００７】
本考案は、以上のような課題に鑑み、外観に施された図案を妨げることなく、内部に収納されているティッシュペーパの残量を確認することができるとともに、詰め替え及び折り畳み可能なティッシュペーパ用収納箱を提供することを目的とする。
【課題を解決するための手段】
【０００８】
上述の課題を解決するために、本考案に係るティッシュペーパ用収納箱は、光透過性の合成樹脂薄板によって上面が開口された箱状に形成され、内部に、連続引き出し可能に折り畳まれたティッシュペーパの積層体が収納された箱本体と、光透過性の合成樹脂薄板によって両端が開口された筒状に設けられ、内部に、上記箱本体が該一方の開口より挿入されて収納され、上記箱本体の開口を閉塞し、上面に、上記箱本体に収納されたティッシュペーパの引出口が形成された閉塞部材とを備え、上記閉塞部材は、少なくとも一側面に、印刷によって形成された図案化部を有し、上記図案化部は、透明部と不透明部とを組み合わせることによって形成され、上記透明部は、上記一側面の高さ方向に複数設けられ、該一側面の幅方向の位置を異ならせながらも、該高さ方向の略何れの位置においても存在するように不連続に形成され、上記箱本体内のティッシュペーパの積層体の残量を視認可能とし、上記箱本体及び上記閉塞部材は、それぞれ折り畳み可能であり、折り畳んだ状態で、一の収納袋に収納可能である。
【０００９】
また、本考案に係るティッシュペーパ用収納箱は、光透過性の合成樹脂薄板によって相対する面が開口された箱状に形成され、内部に、連続引き出し可能に折り畳まれたティッシュペーパの積層体が収納された箱本体と、上記箱本体と一体に設けられ、上記箱本体の相対する開口を閉塞する閉塞部材とを備え、上記閉塞部材によって上記箱本体の相対する開口が閉塞されたとき、上面に位置する上記箱本体の一面又は上記閉塞部材には、上記箱本体に収納されたティッシュペーパの引出口が形成され、上記箱本体は、少なくとも一側面に、印刷によって形成された図案化部を有し、上記図案化部は、透明部と不透明部とを組み合わせることによって形成され、上記透明部は、上記一側面の高さ方向に複数設けられ、該一側面の幅方向の位置を異ならせながらも、該高さ方向の略何れの位置においても存在するように不連続に形成され、該箱本体内のティッシュペーパの積層体の残量を視認可能とし、上記箱本体及び上記閉塞部材は、それぞれ折り畳み可能であり、折り畳んだ状態で、一の収納袋に収納可能である。
【考案の効果】
【００１０】
本考案によれば、ティッシュペーパ用収納箱の少なくとも一側面に形成された図案化部の透明部が、一側面の高さ方向に複数設けられ、一側面の幅方向の位置を異ならせながらも、高さ方向の略何れの位置においても存在するように不連続に形成されていることで、ティッシュペーパ用収納箱の外観に施された図案を妨げることなく、ティッシュペーパ用収納箱内のティッシュペーパの残量を確認することができる。
【００１１】
更に、本考案によれば、コンパクトで扁平に折り畳み、一の収納袋に収納することができるので、運搬や保管のときに嵩張らないようにすることできる。
【図面の簡単な説明】
【００１２】
【図１】本考案が適用されたティッシュペーパ用収納箱の斜視図である。
【図２】箱本体及びカバーの斜視図である。
【図３】箱本体及び閉塞部材の折り畳んだ状態を示した斜視図である。
【図４】折り畳んだ箱本体を折り畳んだ閉塞部材内に収納し、一の収納袋に収納する状態を示した斜視図である。
【図５】箱本体の展開図である。
【図６】閉塞部材の展開図である。
【図７】本考案のティッシュペーパ用収納箱における変形例を示した斜視図である。
【図８】本考案のティッシュペーパ用収納箱における更なる変形例を示した斜視図である。
【考案を実施するための形態】
【００１３】
以下、本考案が適用されたティッシュペーパ用収納箱について、図面を参照しながら下記の順番で詳細に説明する。
１．ティッシュペーパ用収納箱の構成
２．図案化部の構成
３．ティッシュペーパ用収納箱の収納方法
４．ティッシュペーパ用収納箱の使用方法
５．ティッシュペーパ用収納箱の作用効果
６．ティッシュペーパ用収納箱の変形例
（６−１）図案化部の変形例
（６−２）その他の変形例
【００１４】
＜１．ティッシュペーパ用収納箱の構成＞
図１及び図２に示すように、本考案が適用されたティッシュペーパ用収納箱１は、上面が開口された有底箱状に形成され、内部に連続引き出し可能に折り畳まれたティッシュペーパの積層体２が収納される箱本体１０と、内部に箱本体１０が収納され、箱本体１０の開口を閉塞する閉塞部材２０とを備える。ここで、図２に示すように、ティッシュペーパの積層体２は、ティッシュペーパが連続引き出し可能に折り畳まれ、複数枚積層されたものであり、全体が略直方体をなしている。
【００１５】
図２に示すように、内部にティッシュペーパの積層体２が収納される箱本体１０は、光透過性の合成樹脂で形成された機械的強度及び柔軟性を有する樹脂薄板によって、上面が開口された有底箱状に形成されている。具体的に、箱本体１０は、略矩形状の下面１０ａと、相対する正面１０ｂ及び背面１０ｃと、相対する左側面１０ｄ及び右側面１０ｅとを有し、上面に開口部１０ｆが設けられている。更に、箱本体１０の内部には、ティッシュペーパの積層体２が収納される収納凹部１１が設けられている。収納凹部１１は、略直方体状に設けられたティッシュペーパの積層体２よりやや大きな同形の略直方体状に設けられている。このような箱本体１０は、光透過性の合成樹脂で形成された樹脂薄板によって形成されているので、収納凹部１１に収納されたティッシュペーパの積層体２を外部から視認することができる。
【００１６】
更に、左側面１０ｄ及び右側面１０ｅの開口部１０ｆ側には、収納凹部１１側に向けて突出したガイド片１５ａ，１５ｂが設けられている。ガイド片１５ａ，１５ｂは、収納凹部１１に収納されたティッシュペーパの積層体２の左側面１０ｄ側及び右側面１０ｅ側の端部が収納凹部１１上に突出しないように上部から抑える。このようなガイド片１５ａ，１５ｂは、箱本体１０の左側面１０ｄ又は右側面１０ｅを挿入端として箱本体１０が閉塞部材２０の内部に挿入されるときに、ティッシュペーパの積層体２の端部が閉塞部材２０に引っ掛かることを防止するとともに、ガイドとして機能する。
【００１７】
ここで、図５は、箱本体１０の展開図である。箱本体１０は、図５に示すように、略矩形状の下面１０ａと、下面１０ａの一方の長辺側に設けられた正面１０ｂと、他方の長辺側に設けられた背面１０ｃと、一方の短辺側に設けられた左側面１０ｄと、他方の短辺側に設けられた右側面１０ｅとからなる。箱本体１０の正面１０ｂ、背面１０ｃ、左側面１０ｄ及び右側面１０ｅは、それぞれ第１の折り目１２ａ，１２ｂ，１２ｃ，１２ｄを介して下面１０ａと一体に設けられている。
【００１８】
また、左側面１０ｄの一方の短辺側には、左側面１０ｄが第１の折り目１２ｃで折り曲げられたときに、正面１０ｂと接合するための接合片１３ａが第２の折り目１４ａを介して一体に設けられている。更に、左側面１０ｄの他方の短辺側には、背面１０ｃと接合するための接合片１３ｂが第２の折り目１４ｂを介して一体に設けられている。更に、左側面１０ｄの下面１０ａとは反対側の長辺側には、上記ガイド片１５ａが第３の折り目１６ａを介して一体に設けられている。
【００１９】
また、右側面１０ｅの一方の短辺側には、右側面１０ｅが第１の折り目１２ｄで折り曲げられたときに、正面１０ｂと接合するための接合片１３ｃが第２の折り目１４ｃを介して一体に設けられている。更に、右側面１０ｅの他方の短辺側には、背面１０ｃと接合するための接合片１３ｄが第２の折り目１４ｄを介して一体に設けられている。更に、右側面１０ｅの下面１０ａとは反対側の長辺側には、上記ガイド片１５ｂが第３の折り目１６ｂを介して一体に設けられている。
【００２０】
箱本体１０は、先ず、第２の折り目１４ａ，１４ｂ，１４ｃ，１４ｄ及び第３の折り目１６ａ，１６ｂで、接合片１３ａ，１３ｂ，１３ｃ，１３ｄ及びガイド片１５ａ，１５ｂが左側面１０ｄ及び右側面１０ｅに略直交するように内側に折り曲げられる。次いで、箱本体１０は、第１の折り目１２ａ，１２ｂ，１２ｃ，１２ｄで、正面１０ｂ、背面１０ｃ、左側面１０ｄ及び右側面１０ｅが下面１０ａに略直交するように内側に折り曲げられる。次いで、箱本体１０は、接合片１３ａ，１３ｃと正面１０ｂ、接合片１３ｂ，１３ｄと背面１０ｃがそれぞれ熱溶着及び接着材等によって接合される。このようにして、箱本体１０は、図２に示すような上面が開口された有底箱形状に形成される。
【００２１】
更に、箱本体１０は、図２に示すような上面が開口された有底箱状の状態から、図３に示すようなコンパクトで扁平な状態になるように、折り畳むことができる。具体的に、図２及び図５に示すように、箱本体１０の正面１０ｂ及び背面１０ｃには、箱本体１０をコンパクトで扁平に折り畳むための第４の折り目１７，１７，１７，１７が設けられている。先ず、箱本体１０は、第１の折り目１２ａ，１２ｂで、正面１０ｂ及び背面１０ｃが下面１０ａと略平行となるように内側に折り曲げられる。次いで、箱本体１０は、第１の折り目１２ｃ，１２ｄ及び第４の折り目１７，１７，１７，１７で、左側面１０ｄ及び右側面１０ｅが、折り曲げられた正面１０ｂ及び背面１０ｃ上において下面１０ａと略平行となるように内側に折り曲げられる。このようにして、箱本体１０は、図３に示すように、コンパクトで扁平に折り畳むことができる。
【００２２】
更に、図５に示すように、箱本体１０の左側面１０ｄ及び右側面１０ｅには、印刷によって、それぞれ図案化部３０が形成されている。箱本体１０の左側面１０ｄ及び右側面１０ｅに形成された図案化部３０，３０は、傷付き防止やインクによる凸凹を無くして外部側の手触り感の向上を図るために、収納凹部１１側の裏面側に印刷されている。なお、図案化部３０，３０については、後述する。
【００２３】
更に、図２に示すように、箱本体１０が収納される閉塞部材２０は、箱本体１０と同様に光透過性の合成樹脂で形成された機械的強度及び柔軟性を有する樹脂薄板によって、両端が開口された略矩形筒状に形成されている。具体的に、閉塞部材２０は、相対する上面２０ａ及び下面２０ｂと、相対する正面２０ｃ及び背面２０ｄとを有し、両端に開口部２０ｅ，２０ｆが設けられている。また、閉塞部材２０の上面２０ａには、箱本体１０の収納凹部１１に収納されたティッシュペーパの積層体２を外部に引き出す引出口２１が形成されている。引出口２１は、閉塞部材２０の上面２０ａの略中央部に、長辺方向に沿って設けられた長孔である。
【００２４】
ここで、図６は、閉塞部材２０の展開図である。閉塞部材２０は、図６に示すように、略矩形状の上面２０ａと、上面２０ａの一方の長辺側に設けられた正面２０ｃと、他方の長辺側に設けられた背面２０ｄと、正面２０ｃの上面２０ａとは反対側の長辺に設けられた下面２０ｂとからなる。閉塞部材２０の上面２０ａ及び正面２０ｃ、上面２０ａ及び背面２０ｄ、正面２０ｃ及び下面２０ｂは、それぞれ第５の折り目２２ａ，２２ｂ，２２ｃを介して一体に設けられている。すなわち、閉塞部材２０は、背面２０ｄ、上面２０ａ、正面２０ｃ、下面２０ｂの順にそれぞれ第５の折り目２２ｂ，２２ａ，２２ｃを介して一体に設けられている。また、背面２０ｄの上面２０ａとは反対側の長辺側には、上面２０ａ、正面２０ｃ及び背面２０ｄがそれぞれ第４の折り目２２ａ，２２ｂ，２２ｃで隣接する面と略直交するように折り曲げられたときに、下面２０ｂと接合するための接合片２３が第６の折り目２４を介して一体に設けられている。
【００２５】
閉塞部材２０は、先ず、第６の折り目２４で、接合片２３が背面２０ｄに略直交するように内側に折り曲げられる。次いで、閉塞部材２０は、第５の折り目２２ａ，２２ｂ，２２ｃで、上面２０ａ及び下面２０ｂと、正面２０ｃ及び背面２０ｄとが相対するように、隣接する面と略直交するように内側に折り曲げられる。次いで、閉塞部材２０は、接合片２３と下面２０ｂとが熱溶着及び接着材等によって接合される。このようにして、閉塞部材２０は、図２に示すような両端が開口された略矩形筒状に形成される。
【００２６】
更に、閉塞部材２０は、図２に示すような両端が開口された略矩形筒状の状態から、図３に示すようなコンパクトで扁平な状態になるように、折り畳むことができる。例えば、図３に示すように、閉塞部材２０は、上面２０ａと正面２０ｃとで一主面を形成し、下面２０ｂと背面２０ｄとで他主面を形成し、一主面と他主面ともに段差等がない均一な厚さとなるように、第４の折り目２２ｂ，２２ｃで扁平に折り畳むことができる。
【００２７】
更に、図６に示すように、閉塞部材２０の上面２０ａは、印刷によって、全面が着色されて不透明に設けられている。この不透明部は、傷付き防止やインクによる凸凹を無くして外部側の手触り感の向上を図るために、箱本体１０が収納される内部側である裏面側に設けられている。更に、閉塞部材２０の正面２０ｃ及び背面２０ｄには、印刷によって、それぞれ図案化部３０が設けられている。閉塞部材２０の正面２０ｃ及び背面２０ｄに形成された図案化部３０，３０は、傷付き防止やインクによる凸凹を無くして外部側の手触り感の向上を図るために、箱本体１０が収納される内部側である裏面側に印刷されている。なお、図案化部３０，３０については、後述する。
【００２８】
＜２．図案化部の構成＞
次に、図１に示すように、閉塞部材２０の正面２０ｃ及び背面２０ｄ、箱本体１０の左側面１０ｄ及び右側面１０ｅにそれぞれ設けられた図案化部３０について説明する。
【００２９】
図案化部３０は、図５及び図６に示すように、透明部３１と不透明部３２とを組み合わせることによって形成されている。具体的に、透明部３１は、白抜きの所定の図案である。不透明部３２は、シルク印刷やパッド印刷によって着色することで不透明となるように設けられた図案である。透明部３１及び不透明部３２の何れの図案も、海、山、サバンナ等の自然と関連性のある図案である。例えば、透明部３１は、海中の生き物や海底地形、野生動物や木、山等であり、不透明部３２は、これら透明部３１の図案の背景等である。更に、透明部３１として機能する白抜きの所定の図案は、図案化部３０が設けられた面の幅方向の位置を異ならせながら、高さ方向に複数個設けられている。更に、高さ方向に隣り合う図案のうち、上側に設けられた図案の最も低い部分に対して、下側に設けられた図案の最も高い部分が、略同じ高さとなるように設けられている。すなわち、透明部３１として機能する図案は、幅方向の位置を異ならせながらも、高さ方向の略何れの位置においても存在するように不連続に形成されている。したがって、ティッシュペーパ用収納箱１は、図案化部３０が設けられた面において、箱本体１０内のティッシュペーパの積層体２の残量を、透明部３１によって、高さ方向の全領域に亘って外部から視認することができる。なお、高さ方向に隣り合う図案は、一部が重なるように設けてもよく、僅かに離して設けてもよい。
【００３０】
具体的に、図６に示すように、閉塞部材２０の正面２０ｃには、印刷によって、クジラの群れ、魚の群れ、海底地形の図案３１ａ，３１ｂ，３１ｃが透明部３１として設けられている。更に、閉塞部材２０の正面２０ｃには、印刷によって、背景が着色されて不透明部３２として設けられている。透明部３１として機能するクジラの群れ、魚の群れ、海底地形の図案３１ａ，３１ｂ，３１ｃは、箱本体１０及び閉塞部材２０がともに光透過性の合成樹脂で形成された樹脂薄板で形成されているので、箱本体１０内のティッシュペーパの積層体２を外部から視認することができる。
【００３１】
また、これらクジラ群れ、魚の群れ、海底地形の図案３１ａ，３１ｂ，３１ｃは、閉塞部材２０の正面２０ｃの高さ方向（上面２０ａ及び下面２０ｂ方向）の上部から下部（上面２０ａから下面２０ｂ）に向けて、クジラの群れの図案３１ａ、魚の群れの図案３１ｂ、海底地形の図案３１ｃの順に設けられている。更に、これらクジラ群れ、魚の群れ、海底地形の図案３１ａ，３１ｂ，３１ｃは、それぞれ閉塞部材２０の正面２０ｃの幅方向（正面２０ｃの長辺方向）の位置を異ならせるように設けられている。更に、図６の例では、クジラの群れの図案３１ａの最も低い部分ｈ１に対して、魚の群れの図案３１ｂの最も高い部分ｈ２が、略同じ高さに設けられている。更に、魚の群れの図案３１ｂの最も低い部分ｈ３に対して、海底地形の図案３１ｃの最も高い部分ｈ４が、略同じ高さに設けられている。すなわち、透明部３１として機能するクジラの群れ、魚の群れ、海底地形の図案３１ａ，３１ｂ，３１ｃは、閉塞部材２０の正面２０ｃの幅方向の位置を異ならせながらも、閉塞部材２０の正面２０ｃの高さ方向の略何れの位置においても存在するように不連続に形成されている。
【００３２】
したがって、ティッシュペーパ用収納箱１は、閉塞部材２０の正面２０ｃにおいて、箱本体１０内のティッシュペーパの積層体２の残量を、透明部３１として機能するクジラの群れ、魚の群れ、海底地形の図案３１ａ，３１ｂ，３１ｃによって、高さ方向の略全領域に亘って外部から確認することができる。
【００３３】
更に、図６に示すように、閉塞部材２０の背面２０ｄには、印刷によって、第１の魚の群れ、イルカ、第２の魚の群れ、海底地形の図案３１ｄ，３１ｅ，３１ｆ，３１ｇが透明部３１として設けられている。更に、閉塞部材２０の背面２０ｄには、印刷によって、背景が着色されて不透明部３２として設けられている。透明部３１として機能する第１の魚の群れ、イルカ、第２の魚の群れ、海底地形の図案３１ｄ，３１ｅ，３１ｆ，３１ｇは、箱本体１０及び閉塞部材２０がともに光透過性の合成樹脂で形成された樹脂薄板で形成されているので、箱本体１０内のティッシュペーパの積層体２を外部から視認することができる。
【００３４】
また、これら第１の魚の群れ、イルカ、第２の魚の群れ、海底地形の図案３１ｄ，３１ｅ，３１ｆ，３１ｇは、閉塞部材２０の背面２０ｄの高さ方向の上部から下部に向けて、第１の魚の群れの図案３１ｄ、イルカの図案３１ｅ、第２の魚の群れの図案３１ｆ、海底地形の図案３１ｇの順に設けられている。更に、これら第１の魚の群れ、イルカ、第２の魚の群れ、海底地形の図案３１ｄ，３１ｅ，３１ｆ，３１ｇは、それぞれ閉塞部材２０の背面２０ｄの幅方向（背面２０ｄの長辺方向）の位置を異ならせて設けられている。更に、図６の例では、第１の魚の群れの図案３１ｄの最も低い部分ｈ５に対して、イルカの図案３１ｅの最も高い部分ｈ６が、やや高く、一部が重なるように設けられている。更に、イルカの図案３１ｅの最も低い部分ｈ７に対して、第２の魚の群れの図案３１ｆの最も高い部分ｈ８が、やや低く僅かに離れているが近接するように設けられている。更に、第２の魚の群れの図案３１ｆの最も低い部分ｈ９に対して、海底地形の図案３１ｇの最も高い部分ｈ１０が、略同じ高さに設けられている。すなわち、透明部３１として機能する第１の魚の群れ、イルカ、第２の魚の群れ、海底地形の図案３１ｄ，３１ｅ，３１ｆ，３１ｇは、閉塞部材２０の背面２０ｄの幅方向の位置を異ならせながらも、閉塞部材２０の背面２０ｄの高さ方向の略何れの位置においても存在するように不連続に形成されている。
【００３５】
したがって、ティッシュペーパ用収納箱１は、閉塞部材２０の背面２０ｄにおいて、箱本体１０内のティッシュペーパの積層体２の残量を、透明部３１として機能する第１の魚の群れ、イルカ、第２の魚の群れ、海底地形の図案３１ｄ，３１ｅ，３１ｆ，３１ｇによって、高さ方向の略全領域に亘って外部から確認することができる。
【００３６】
更に、図５に示すように、箱本体１０の左側面１０ｄには、印刷によって、イルカ、サメの群れ、海底地形の図案３１ｈ，３１ｉ，３１ｊが透明部３１として設けられている。更に、箱本体１０の左側面１０ｄには、印刷によって、背景が着色されて不透明部３２として設けられている。透明部３１として機能するイルカ、サメの群れ、海底地形の図案３１ｈ，３１ｉ，３１ｊは、箱本体１０が光透過性の合成樹脂で形成された樹脂薄板で形成されており、箱本体１０の左側面１０ｄが閉塞部材２０の開口部２０ｅから露出されているので、箱本体１０内のティッシュペーパの積層体２を外部から視認することができる。
【００３７】
また、これらイルカ、サメの群れ、海底地形の図案３１ｈ，３１ｉ，３１ｊは、箱本体１０の左側面１０ｄの高さ方向（開口部１０ｆ及び下面１０ａ方向）の上部から下部（開口部１０ｆから下面１０ａ）に向けて、イルカの図案３１ｈ、サメの群れの図案３１ｉ、海底地形の図案３１ｊの順に設けられている。更に、これらイルカ、サメの群れ、海底地形の図案３１ｈ，３１ｉ，３１ｊは、それぞれ箱本体１０の左側面１０ｄの幅方向（左側面１０ｄの長辺方向）の位置を異ならせるように設けられている。更に、図５の例では、イルカの図案３１ｈの最も低い部分ｈ１１に対して、サメの図案３１ｉの最も高い部分ｈ１２が、略同じ高さに設けられている。更に、サメの図案３１ｉの高さ方向の最も低い部分ｈ１３に対して、海底地形の図案３１ｊの最も高い部分ｈ１４が、やや高く、重なるように設けられている。すなわち、透明部３１として機能するイルカ、サメの群れ、海底地形の図案３１ｈ，３１ｉ，３１ｊは、箱本体１０の左側面１０ｄの幅方向の位置を異ならせながらも、箱本体１０の左側面１０ｄの高さ方向の略何れの位置においても存在するように不連続に形成されている。
【００３８】
したがって、ティッシュペーパ用収納箱１は、箱本体１０の左側面１０ｄにおいて、箱本体１０内のティッシュペーパの積層体２の残量を、透明部３１として機能するイルカ、サメの群れ、海底地形の図案３１ｈ，３１ｉ，３１ｊによって、高さ方向の略全領域に亘って外部から確認することができる。
【００３９】
更に、図５に示すように、箱本体１０の右側面１０ｅには、印刷によって、ロゴ、マンタ、海底地形の図案３１ｋ，３１ｌ，３１ｍが透明部３１として設けられている。更に、箱本体１０の右側面１０ｅには、印刷によって、背景が着色されて不透明部３２として設けられている。透明部３１として機能するロゴ、マンタ、海底地形の図案３１ｋ，３１ｌ，３１ｍは、箱本体１０が光透過性の合成樹脂で形成された樹脂薄板で形成されており、箱本体１０の右側面１０ｅが閉塞部材２０の開口部１０ｆから露出されているので、箱本体１０内のティッシュペーパの積層体２を視認することができる。
【００４０】
また、これらロゴ、マンタ、海底地形の図案３１ｋ，３１ｌ，３１ｍは、箱本体１０の右側面１０ｅの高さ方向の上部から下部に向けて、ロゴの図案３１ｋ、マンタの図案３１ｌ、海底地形の図案３１ｍの順に設けられている。更に、これらロゴ、マンタ、海底地形の図案３１ｋ，３１ｌ，３１ｍは、それぞれ箱本体１０の右側面１０ｅの幅方向（右側面１０ｅの長辺方向）の位置を異ならせて設けられている。更に、図５の例では、ロゴの図案３１ｋの高さ方向の最も低い部分ｈ１５に対して、マンタの図案３１ｌの最も高い部分ｈ１６が、略同じ高さに設けられている。更に、マンタの図案３１ｌの高さ方向の最も低い部分ｈ１７に対して、海底地形の図案３１ｍの最も高い部分ｈ１８が、やや低く僅かに離れているが近接して設けられている。すなわち、透明部３１として機能するロゴ、マンタ、海底地形の図案３１ｋ，３１ｌ，３１ｍは、箱本体１０の右側面１０ｅの幅方向の位置を異ならせながらも、右側面１０ｅの高さ方向の略何れの位置においても存在するように不連続に形成されている。
【００４１】
したがって、ティッシュペーパ用収納箱１は、箱本体１０の右側面１０ｅにおいて、箱本体１０内のティッシュペーパの積層体２の残量を、透明部３１として機能するロゴ、マンタ、海底地形の図案３１ｋ，３１ｌ，３１ｍによって、高さ方向の略全領域に亘って外部から確認することができる。
【００４２】
更に、閉塞部材２０の正面２０ｃ及び背面２０ｄに設けられた図案化部３０，３０は、上述した透明部３１及び不透明部３２に加え、図案化部３０が設けられた面の高さ方向の略全長に亘って連続する透明部３３，３３を有する。具体的に、図６に示すように、閉塞部材２０の正面２０ｃ及び背面２０ｄには、図案３１ａ〜３１ｃ、３１ｄ〜３１ｇに加え、上記透明部３１と同様に箱本体１０内のティッシュペーパの積層体２を視認可能とする透明部３３として機能し、正面２０ｃ及び背面２０ｄの高さ方向の略全長に亘って連続する図案３３ａ，３３ｂが設けられている。これにより、ティッシュペーパ用収納箱１は、閉塞部材２０の正面２０ｃ及び背面２０ｄにおいて、箱本体１０内のティッシュペーパの積層体２の残量を、図案３１ａ〜３１ｃ、３１ｄ〜３１ｇによって外部から確認することができることに加え、これら図案３３ａ，３３ｂによっても外部から確認することもできる。なお、このような透明部３３を、箱本体１０の左側面１０ｄ及び／又は右側面１０ｅに設けるようにしてもよい。
【００４３】
なお、上述した図５及び図６の例は、本考案が適用されたティッシュペーパ用収納箱１の図案化部３０の透明部３１として機能する図案を例示したものであり、上述したものに限定されるものではない。図案化部３０の透明部３１として機能する図案は、高さ方向に複数設けられ、幅方向の位置を異ならせながらも、高さ方向の略何れの位置においても存在するように不連続に形成されているものであれば、デザイン、個数、高さ方向及び幅方向の配置などは、適宜変更可能である。
【００４４】
＜３．ティッシュペーパ用収納箱の収納方法＞
次に、以上のような構成を有するティッシュペーパ用収納箱１の収納方法について説明する。
【００４５】
先ず、本考案が適用されたティッシュペーパ用収納箱１の箱本体１０が、図２に示すような上面が開口された有底箱状の状態から、図３に示すようなコンパクトで扁平な状態になるように、折り畳まれる。具体的に、図３に示すように、箱本体１０の正面１０ｂ及び背面１０ｃが、下面１０ａと略平行となるように、第１の折り目１２ａ，１２ｂで内側に折り曲げられる。次いで、箱本体１０の左側面１０ｄ及び右側面１０ｅが、折り曲げられた正面１０ｂ及び背面１０ｃ上において下面１０ａと略平行となるように、第１の折り目１２ｃ，１２ｄ及び第４の折り目１７，１７，１７，１７で内側に折り曲げられる。
【００４６】
次いで、本考案が適用されたティッシュペーパ用収納箱１の閉塞部材２０が、図２に示すような両端が開口された略矩形筒状の状態から、図３に示すようなコンパクトで扁平な状態になるように、折り畳まれる。具体的に、図３に示すように、閉塞部材２０が、上面２０ａと正面２０ｃとで一主面を形成し、下面２０ｂと背面２０ｄとで他主面を形成し、一主面と他主面ともに段差等がない均一な厚さとなるように、第４の折り目２２ｂ，２２ｃで扁平に折り畳まれる。
【００４７】
次いで、図４に示すように、折り畳まれた箱本体１０が、折り畳まれた閉塞部材２０の内部に収納される。次いで、折り畳まれた箱本体１０が内部に収納された折り畳まれた閉塞部材２０が、ポリエチレンフィルム等の樹脂フィルムやクラフト紙等からなる一の収納袋４０に収納される。
【００４８】
＜４．ティッシュペーパ用収納箱の使用方法＞
次に、以上のように一の収納袋４０に収納されたティッシュペーパ用収納箱１の使用方法について説明する。
【００４９】
先ず、図４に示すように、折り畳まれた状態の箱本体１０が内部に収納された折り畳まれた状態の閉塞部材２０が、一の収納袋４０から取り出される。次いで、図３に示すように、折り畳まれた状態の箱本体１０が、折り畳まれた状態の閉塞部材２０の内部から取り出される。次いで、閉塞部材２０が、図２に示すように、コンパクトで扁平な状態に折り畳まれた状態から、上面２０ａ及び下面２０ｂと、正面２０ｃ及び背面２０ｄとがそれぞれ対向するように広げられ、両端が開口された略矩形筒状に設けられる。次いで、箱本体１０が、図２に示すように、コンパクトで扁平な状態に折り畳まれた状態から、左側面１０ｄ及び右側面１０ｅが広げられ、左側面１０ｄ及び右側面１０ｅが対向するように設けられた後に、正面１０ｂ及び背面１０ｃが広げられ、正面１０ｂ及び背面１０ｃが対向するように設けられ、図２に示すような上面が開口された有底箱状に設けられる。次いで、箱本体１０の収納凹部１１に、図２に示すように、上面の開口部１０ｆからティッシュペーパの積層体２が収納される。次いで、内部にティッシュペーパの積層体２が収納された箱本体１０が、例えば、左側面１０ｄを挿入端として、ガイド片１５ａでガイドされながら閉塞部材２０の開口部２０ｆから挿入されて、図１に示すように、閉塞部材２０の内部に収納される。
【００５０】
＜５．ティッシュペーパ用収納箱の作用効果＞
本考案が適用されたティッシュペーパ用収納箱１は、閉塞部材２０の正面２０ｃ及び背面２０ｄ、箱本体１０の左側面１０ｄ及び右側面１０ｅにそれぞれ形成された図案化部３０の図案３１ａ〜３１ｃ，３１ｄ〜３１ｇ，３１ｈ〜３１ｊ，３１ｋ〜３１ｍが、それぞれ透明部３１として機能し、更に、高さ方向に複数個設けられ、幅方向の位置を異ならせながらも、高さ方向の略何れの位置においても存在するように不連続に形成されているので、ティッシュペーパ用収納箱１の外観に施された図案を妨げることなく、箱本体１０内のティッシュペーパの積層体２の残量を高さ方向の略全領域に亘って外部から確認することができる。
【００５１】
更に、本考案が適用されたティッシュペーパ用収納箱１は、閉塞部材２０の正面２０ｃ及び背面２０ｄに形成された図案化部３０の図案３３ａ，３３ｂが、透明部３１と同様に透明部３３として機能し、更に、正面２０ｃ及び背面２０ｄの高さ方向の略全長に亘って連続するので、箱本体１０内のティッシュペーパの積層体２の残量を高さ方向の略全領域に亘って外部から確認することができる。
【００５２】
更に、本考案が適用されたティッシュペーパ用収納箱１は、図案化部３０の透明部３１として機能する図案が、自然と関連性のある図案であるので、内部に収納されたティッシュペーパの積層体２の残量が減るにつれて、無駄な使用が資源を枯渇させて自然環境を破壊することを使用者に連想させて、ティッシュペーパの無駄な使用を抑制するように促すことができる。
【００５３】
更に、本考案が適用されたティッシュペーパ用収納箱１は、図案化部３０が、箱本体１０及び閉塞部材２０の裏面側に印刷されているので、傷が付くことを防止することができるとともに、インクによる凸凹を無くして外部側の手触り感の向上を図ることができる。
【００５４】
更に、本考案が適用されたティッシュペーパ用収納箱１は、箱本体１０及び閉塞部材２０をコンパクトで扁平に折り畳み、折り畳んだ箱本体１０を折り畳んだ閉塞部材２０の内部に収納し、一の収納袋４０に収納することができ、運搬や保管時に嵩張らないようにすることができる。
【００５５】
更に、本考案が適用されたティッシュペーパ用収納箱１は、ティッシュペーパの積層体２が無くなったときに、閉塞部材２０から箱本体１０を取り出して、ティッシュペーパの積層体２を詰め替えることができ、繰り返し利用することができる。したがって、本考案が適用されたティッシュペーパ用収納箱１は、内部に収納されたティッシュペーパの積層体２が無くなっても、廃棄する必要がなく、資源を有効活用し節約することができる。
【００５６】
更に、本考案が適用されたティッシュペーパ用収納箱１は、箱本体１０の左側面１０ｄ及び右側面１０ｅの開口部１０ｆ側に、収納凹部１１側に向けて突出したガイド片１５ａ，１５ｂが設けられているので、収納凹部１１に収納されたティッシュペーパの積層体２の左側面１０ｄ側及び右側面１０ｅ側の端部が収納凹部１１上に突出しないように上部から抑え、箱本体１０の左側面１０ｄ又は右側面１０ｅを挿入端として箱本体１０が閉塞部材２０の内部に挿入されるときに、ティッシュペーパの積層体２の端部が閉塞部材２０に引っ掛かることを防止することができるとともに、箱本体１０を閉塞部材２０内に挿入するときのガイドとなり、箱本体１０を容易に閉塞部材２０内に挿入することができる。
【００５７】
＜６．ティッシュペーパ用収納箱の変形例＞
（６−１）図案化部の変形例
なお、本考案が適用されたティッシュペーパ用収納箱１は、図案化部３０の透明部３１及び不透明部３２の何れの図案も、自然と関連性のある図案に限定されるものではなく、箱本体１０の右側面１０ｅに設けたロゴの図案３１ｋのように、自然と関連性のない図案であってもよく、自然と関連性のある図案とない図案とを組み合わせたものでもよい。
【００５８】
更に、本考案が適用されたティッシュペーパ用収納箱１は、閉塞部材２０の正面２０ｃ及び背面２０ｄのどちらか一方に図案化部３０を形成し、他方を上面２０ａのように全面着色して不透明となるように設けるようにしてもよい。また、本考案が適用されたティッシュペーパ用収納箱１は、箱本体１０の左側面１０ｄ及び右側面１０ｅのどちらか一方に図案化部３０を形成し、他方を閉塞部材２０の上面２０ａのように全面着色して不透明となるように設けるようにしてもよい。更に、本考案が適用されたティッシュペーパ用収納箱１は、箱本体１０の左側面１０ｄ及び右側面１０ｅを閉塞部材２０の上面２０ａのように全面着色して不透明となるように設け、閉塞部材２０だけに図案化部３０を形成するようにしてもよい。
【００５９】
（６−２）その他の変形例
更に、本考案は、ティッシュペーパ用収納箱１のように、箱本体１０と閉塞部材２０とを別部材で設けることに限定するものではなく、箱本体と閉塞部材とを一体に設けるようにしてもよい。以下、本考案が適用されたティッシュペーパ用収納箱１の変形例について、説明する。更に、上述したティッシュペーパ用収納箱１と同様の構成を有するものは同じ符号を付して説明を省略し、以下、ティッシュペーパ用収納箱１と異なる構成についてのみ説明する。
【００６０】
図７に示すように、本考案が適用されたティッシュペーパ用収納箱５０は、上面が開口された有底箱状に形成され、内部に連続引き出し可能に折り畳まれたティッシュペーパの積層体２が収納される箱本体１０と、箱本体１０と一体に設けられ、箱本体１０の開口部１０ｆを閉塞し、箱本体１０に収納されたティッシュペーパの引出口２１が形成された閉塞部材５１とを備える。
【００６１】
箱本体１０の下面１０ａは、正面１０ｂ、背面１０ｃ、左側面１０ｄ及び右側面１０ｅの下面１０ａ側にそれぞれ設けられた組み底部材５２，５３，５４，５５を組み合わせた組み底により構成されている。これら組み底部材５２，５３，５４，５５は、例えば、組み底部材５２、組み底部材５４，５５、組み底部材５３の順に折り曲げられて、組み底部材５２の先端に形成された係止凹部５２ａに組み底部材５３の先端に形成された係止凸部５３ａが挿入されることにより、組み底部材５２，５３，５４，５５がそれぞれ係合されて、下面１０ａを構成している。すなわち、ティッシュペーパ用収納箱５０は、下面１０ａを構成する組み底の係合を外すことで、下面１０ａにも開口部１０ｆを有するように設けられており、相対する上面及び下面１０ａがそれぞれ開口部１０ｆを有するように設けられている。したがって、ティッシュペーパ用収納箱５０は、正面１０ｂと左側面１０ｄとで一主面を形成し、背面１０ｃと右側面１０ｅとで他主面を形成し、一主面と他主面ともに段差等がない均一な厚さとなるように、コンパクトで扁平に折り畳むことができ、一の収納袋４０に収納することができる。
【００６２】
箱本体１０の開口部１０ｆを閉塞する閉塞部材５１は、例えば、箱本体１０の背面１０ｃの開口部１０ｆ側に第７の折り目５６を介して一体に形成されている。更に、閉塞部材５１の先端部には、閉塞部材５１を箱本体１０に係合する係合片５７が形成されている。この係合片５７は、第７の折り目５６で閉塞部材５１が折り曲げられたときに、箱本体１０のガイド片１５ａ，１５ｂと箱本体１０の正面１０ｂとの間の間隙に差し込まれて、ガイド片１５ａ，１５ｂと係合される。このようにして、閉塞部材５１は、箱本体１０の開口部１０ｆを閉塞する。すなわち、ティッシュペーパ用収納箱５０は、上面の開口部１０ｆが閉塞部材５１で閉塞され、下面１０ａの開口部１０ｆが閉塞部材となる組み底で閉塞される。
【００６３】
更に、閉塞部材５１は、印刷によって、収納凹部１１に対向する内面側の全面が着色されて不透明に設けられている。更に、箱本体１０の正面１０ｂ、背面１０ｃ、左側面１０ｄ及び右側面１０ｅには、それぞれ印刷によって図案化部３０が設けられている。ティッシュペーパ用収納箱５０の箱本体１０の正面１０ｂ及び背面１０ｃに設けられた図案化部３０は、上述したティッシュペーパ用収納箱１の閉塞部材２０の正面２０ｃ及び背面２０ｄに設けられた図案化部３０と同様のものである。更に、ティッシュペーパ用収納箱５０の箱本体１０の左側面１０ｄ及び右側面１０ｅに設けられた図案化部３０は、上述したティッシュペーパ用収納箱１の箱本体１０の左側面１０ｄ及び右側面１０ｅに設けられた図案化部３０と同様のものである。なお、ティッシュペーパ用収納箱５０の図案化部３０については、上述したティッシュペーパ用収納箱１の図案化部３０と同様のため、説明は省略する。
【００６４】
以上のような構成を有するティッシュペーパ用収納箱５０は、箱本体１０と閉塞部材５１とが一体に設けられているので、上述したティッシュペーパ用収納箱１の作用効果に加え、製造工程を簡素化することができる。また、このような構成を有するティッシュペーパ用収納箱５０であっても、閉塞部材５１を持ち上げて箱本体１０の上面の開口部１０ｆを露出させることで、ティッシュペーパの積層体２を詰め替えることができ、繰り返し利用することができる。
【００６５】
なお、本考案が適用されたティッシュペーパ用収納箱５０は、箱本体１０の左側面１０ｄ及び右側面１０ｅに開口部１０ｆ，１０ｆが設けられるとともに、箱本体１０の上面に引出口２１が設けられ、開口部１０ｆ，１０ｆのどちらか一方が閉塞部材５１で閉塞され、他方が組み底で閉塞されるようにしてもよい。更に、ティッシュペーパ用収納箱５０は、箱本体１０の正面１０ｂ及び背面１０ｃに開口部１０ｆ，１０ｆが設けられるとともに、箱本体１０の上面に引出口２１が設けられ、開口部１０ｆ，１０ｆのどちらか一方が閉塞部材５１で閉塞され、他方が組み底で閉塞されるようにしてもよい。
【００６６】
更に、本考案が適用されたティッシュペーパ用収納箱５０は、相対する面に設けられた開口部１０ｆ，１０ｆのどちらか一方が閉塞部材５１で閉塞され、他方が組み底で閉塞されるものに限定されるものではなく、開口部１０ｈ，１０ｆが、それぞれ閉塞部材５１，５１で閉塞されるようにしてもよい。例えば、図８に示すように、箱本体１０の左側面１０ｄ及び右側面１０ｅにそれぞれ開口部１０ｆが設けられ、それぞれ閉塞部材５１で閉塞されるようにしてもよい。このような構成を有するティッシュペーパ用収納箱５０であっても、どちらかの閉塞部材５１を持ち上げて箱本体１０の開口部１０ｆを露出させることで、ティッシュペーパの積層体２を詰め替えることができ、繰り返し利用することができるとともに、コンパクトで扁平に折り畳むことができ、一の収納袋４０に収納することができる。
【符号の説明】
【００６７】
１  ティッシュペーパ用収納箱、２  ティッシュペーパの積層体、１０  箱本体、１０ａ  下面、１０ｂ  正面、１０ｃ  背面、１０ｄ  左側面、１０ｅ  右側面、１０ｆ  開口部、１１  収納凹部、１２  第１の折り目、１３  接合片、１４  第２の折り目、１５  ガイド片、１６  第３の折り目、１７  第４の折り目、２０  閉塞部材、２０ａ  上面、２０ｂ  下面、２０ｃ  正面、２０ｄ  背面、２０ｅ  開口部、２０ｆ  開口部、２１  引出口、２２  第５の折り目、２３  接合片、２４  第６の折り目、３１  透明部、３２  不透明部、３３  更なる透明部、４０  収納袋、５０  ティッシュペーパ用収納箱、５１  カバー、５２  組み底部材、５２ａ  係止凹部、５３  組み底部材、５３ａ  係止凸部、５４  組み底部材、５５  組み底部材、５６  第７の折り目、５７  係止片
【図１】
0003164386.tif 000003
【図２】
0003164386.tif 000004
【図３】
0003164386.tif 000005
【図４】
0003164386.tif 000006
【図５】
0003164386.tif 000007
【図６】
0003164386.tif 000008
【図７】
0003164386.tif 000009
【図８】
0003164386.tif 000010